(57)【要約】      （修正有）【課題】ターンテーブルとガイドシャフトの平行度を高精度に調整する光ピックアップ調整装置及び光ピックアップ調整方法を提供する。【解決手段】ターンテーブルに配されて入射光を反射する第１の反射手段と、光ピックアップを支持するガイドシャフトに配されて入射光を反射する第２の反射手段と、第１の反射手段及び第２の反射手段に対して光を出射する光源３と、第１の反射手段及び第２の反射手段の反射光を受光する受光手段８と、第１の反射手段の反射光を前記受光手段８に受光させる場合と第２の反射手段の反射光を前記受光手段８に受光させる場合とを切替可能な切替手段とを備え、第１の反射手段及び第２の反射手段の反射光を受光手段８に受光させて受光位置を検出し、受光結果に基づいて前記ターンテーブルと前記ガイドシャフトの位置関係を検出し、位置関係の検出結果に基づいて前記ターンテーブルと前記ガイドシャフトの位置関係を調整する。【選択図】図１
2014056628.tif 000002
【特許請求の範囲】
【請求項１】
ターンテーブルに配されて入射光を反射する第１の反射手段と、
光ピックアップを支持するガイドシャフトに配されて入射光を反射する第２の反射手段と、
第１の反射手段及び第２の反射手段に対して光を出射する光源と、
第１の反射手段及び第２の反射手段の反射光を受光する受光手段と、
第１の反射手段の反射光を前記受光手段に受光させる場合と第２の反射手段の反射光を前記受光手段に受光させる場合とを切替可能な切替手段と、
を備えることを特徴とする光ピックアップ調整装置。
【請求項２】
ターンテーブルに配されて入射光を反射する第１の反射手段と、
光ピックアップを支持するガイドシャフトに配されて入射光を反射する第２の反射手段と、
第１の反射手段及び第２の反射手段に対して光を出射する光源と、
第１の反射手段及び第２の反射手段の反射光を受光する受光手段と、
第１の反射手段の反射光及び第２の反射手段の反射光のいずれか一方を前記受光手段に受光させる場合と双方を前記受光手段に受光させる場合とを切替可能な切替手段と、
を備えることを特徴とする光ピックアップ調整装置。
【請求項３】
前記切替手段による切替によって、前記受光手段によって第１の反射手段及び第２の反射手段のいずれか一方の反射手段で受光した反射光と、他方の反射手段で受光した反射光とに基づいて、ターンテーブルとガイドシャフトとの位置関係を調整する調整手段を備えることを特徴とする請求項１に記載の光ピックアップ調整装置。
【請求項４】
前記切替手段による切替によって、前記受光手段によって第１の反射手段及び第２の反射手段のいずれか一方の反射手段で受光した反射光と、双方の反射手段で受光した反射光とに基づいて、ターンテーブルとガイドシャフトとの位置関係を調整する調整手段を備えることを特徴とする請求項２に記載の光ピックアップ調整装置。
【請求項５】
前記切替手段は第１の反射手段又は第２の反射手段への入射光を遮光可能な遮光手段を備えることを特徴とする請求項１〜請求項４のいずれか１項に記載の光ピックアップ調整装置。
【請求項６】
前記切替手段は、第１の反射手段及び第２の反射手段のいずれか一方の反射手段への入射光及びその反射手段の反射光を偏光する波長板と、前記波長板と前記受光手段の間に着脱可能に配されて第１の反射手段の反射光及び第２の反射手段の反射光のいずれか一方の反射光を透過させる偏光軸を有する偏光手段と、を備えることを特徴とする請求項１〜請求項４のいずれか１項に記載の光ピックアップ調整装置。
【請求項７】
前記切替手段は、第１の反射手段及び第２の反射手段のいずれか一方の反射手段への入射光を遮光可能な遮光手段と、他方の反射板への入射光及びその反射手段の反射光を偏光する波長板と、前記波長板と前記受光手段の間に着脱可能に配されて前記波長板によって偏光された反射光を透過しない偏光軸を有する偏光手段と、を備えることを特徴とする請求項１〜請求項４のいずれか１項に記載の光ピックアップ調整装置。
【請求項８】
前記切替手段は、第１の反射手段及び第２の反射手段のいずれか一方の反射手段への入射光及びその反射手段の反射光を偏光する波長板と、前記波長板と前記受光手段の間に配されて第１の反射部材の反射光と第２の反射部材の反射光のいずれの反射光を透過させるかを選択可能な偏光手段と、を備えることを特徴とする請求項１〜請求項４のいずれか１項に記載の光ピックアップ調整装置。
【請求項９】
前記偏光手段は所定の中心軸を中心に回動可能に配されることにより第１の反射手段の反射光を透過させる場合と第２の反射手段の反射光を透過させる場合とが選択可能であることを特徴とする請求項８に記載の光ピックアップ調整装置。
【請求項１０】
前記偏光手段は第１の反射手段の反射光のみを透過する第１の偏光板と、第２の反射手段の反射光のみを透過させる第２の偏光板と、を備え、第１の偏光板及び第２の偏光板のいずれか一方が選択的に配されることにより第１の反射手段の反射光を透過させる場合と第２の反射手段の反射光を透過させる場合とが選択可能であることを特徴とする請求項８に記載の光ピックアップ調整装置。
【請求項１１】
前記波長板は１／４波長板であることを特徴とする請求項６〜請求項１０のいずれか１項に記載の光ピックアップ調整装置。
【請求項１２】
前記受光手段が受光する反射光の受光位置を表示するモニタを備えることを特徴とする請求項６〜請求項１１のいずれか１項に記載の光ピックアップ調整装置。
【請求項１３】
ターンテーブルに配される第１の反射手段及び光ピックアップを摺動可能に支持するガイドシャフトに配される第２の反射手段に向かって光を出射するステップと、
第１の反射手段及び第２の反射手段のうち一方の反射手段の反射光を受光手段に受光させて受光位置を検出するステップと、
第１の反射手段及び第２の反射手段のうち他方の反射手段の反射光を受光手段に受光させて受光位置を検出するステップと、
受光結果に基づいて前記ターンテーブルと前記ガイドシャフトの位置関係を検出するステップと、
位置関係の検出結果に基づいて前記ターンテーブルと前記ガイドシャフトの位置関係を調整するステップと、
を有することを特徴とする光ピックアップ調整方法。
【請求項１４】
ターンテーブルに配される第１の反射手段及び光ピックアップを摺動可能に支持するガイドシャフトに配される第２の反射手段に向かって光を出射するステップと、
第１の反射手段及び第２の反射手段のうち一方の反射手段の反射光を受光手段に受光させて受光位置を検出するステップと、
第１の反射手段及び第２の反射手段の反射光を受光手段に受光させて受光位置を検出するステップと、
受光結果に基づいて前記ターンテーブルと前記ガイドシャフトの位置関係を検出するステップと、
位置関係の検出結果に基づいて前記ターンテーブルと前記ガイドシャフトの位置関係を調整するステップと、
を有することを特徴とする光ピックアップ調整方法。
【発明の詳細な説明】
【技術分野】
【０００１】
本発明は、光ピックアップの位置関係を調整する光ピックアップ調整装置及び光ピックアップ調整方法に関する。
【背景技術】
【０００２】
光ディスク装置は、Ｂｌｕ−ｒａｙ Ｄｉｓｃ（登録商標）やＤＶＤなどの光ディスクから情報を読み取ったり、光ディスクに情報を書き込んだりする際に利用される。光ディスク装置は光源からの光を光ディスクに向かって照射し、光ディスクで反射した光を読み取って電気信号に変換、出力している。
【０００３】
光ディスクから情報を読み取り、或いは、光ディスクに情報を書き込む際には光ピックアップの光軸が光ディスクの記録面に対して垂直でなければならない。言い換えれば、光ディスクに光を照射するときに、光ディスクが載置されるターンテーブルの載置面と、光ピックアップを摺動可能に支持するガイドシャフトが平行でなければならない。
【０００４】
しかしながら光ディスク装置の成型誤差や組立誤差等により光ピックアップの光軸が光ディスクの記録面に対して垂直にならない（ターンテーブルとガイドシャフトが平行にならない）ことがある。そこで、光ディスク装置の組立終了後、且つ、出荷前に、光ピックアップ調整装置を光ディスク装置に取り付けてターンテーブルとガイドシャフトが平行であるか否かの検査が行われる。また光ピックアップ調整装置はターンテーブルとガイドシャフトが平行でない（傾いている）ときに両者が平行になるように調整を行う。調整方法としては、例えばガイドシャフトの傾きを調整してターンテーブルとガイドシャフトを平行にする方法が知られている（例えば特許文献１参照）。
【０００５】
ここで従来の光ピックアップ調整装置によるターンテーブルとガイドシャフトの平行度（位置関係）を検査する方法について説明する。従来の光ピックアップ調整装置は平行光を出射する光源、ターンテーブルに搭載される第１のミラー治具、ガイドシャフトに搭載される第２のミラー治具、各ミラー治具からの反射光を受光する受光素子、を備える。
【０００６】
つまり、光源から出射されて各ミラー治具によって反射された光は受光素子によって同時に受光される。その際、各反射光が受光素子のどの位置に入光したかによって両反射光の受光位置のずれが検出される。両反射光の受光位置にずれが存在するときはターンテーブルとガイドシャフトが平行でなく、両反射光の受光位置が一致するときはターンテーブルとガイドシャフトが平行であることが分かる。
【０００７】
そこで、光ピックアップ調整装置は両反射光の受光位置にずれが存在するときは上述したようにガイドシャフトの傾きを調整して両反射光の受光位置を一致させる。
【先行技術文献】
【特許文献】
【０００８】
【特許文献１】特開２００２−７４６８３号公報
【発明の概要】
【発明が解決しようとする課題】
【０００９】
しかしながら受光素子によって２つの反射光を同時に受光すると２つの受光素子が重複していないにも関わらず重複したと判断されることがある。例えば図５に示すように受光素子が受光した両反射光の受光位置をモニタに表示すると両反射光の受光位置は一部重複した状態であって完全に重複した状態ではない。しかしながら受光素子は単一の反射光を受光している（すなわち２つの反射光が重複している）と判断するという問題があった。
【００１０】
そして光ピックアップ調整装置は両反射光の受光位置が一致していると判断するとターンテーブルとガイドシャフトが平行でないにもかかわらず両者が平行であると判断してターンテーブルとガイドシャフトを平行にするための調整を行わなかった。
【００１１】
本発明は上述した問題点に鑑み、ターンテーブルとガイドシャフトの位置関係を高精度に調整する光ピックアップ調整装置及び光ピックアップ調整方法を提供することを目的とする。
【課題を解決するための手段】
【００１２】
上記目的を達成するために本発明の光ピックアップ調整装置は、ターンテーブルに配されて入射光を反射する第１の反射手段と、光ピックアップを支持するガイドシャフトに配されて入射光を反射する第２の反射手段と、第１の反射手段及び第２の反射手段に対して光を出射する光源と、第１の反射手段及び第２の反射手段の反射光を受光する受光手段と、第１の反射手段の反射光を前記受光手段に受光させる場合と第２の反射手段の反射光を前記受光手段に受光させる場合とを切替可能な切替手段と、を備えることを特徴とする。
【００１３】
この構成によれば、反射光を受光してターンテーブルとガイドシャフトの平行度を検出する受光手段と、第１の反射手段の反射光を受光手段に受光させる場合と、第２の反射手段の反射光を受光手段に受光させる場合とを切替可能な切替手段を備える。
【００１４】
上記目的を達成するために本発明の光ピックアップ調整装置は、ターンテーブルに配されて入射光を反射する第１の反射手段と、光ピックアップを支持するガイドシャフトに配されて入射光を反射する第２の反射手段と、第１の反射手段及び第２の反射手段に対して光を出射する光源と、第１の反射手段及び第２の反射手段の反射光を受光する受光手段と、第１の反射手段の反射光及び第２の反射手段の反射光のいずれか一方を前記受光手段に受光させる場合と双方を前記受光手段に受光させる場合とを切替可能な切替手段と、を備えることを特徴とする。
【００１５】
この構成によれば、反射光を受光してターンテーブルとガイドシャフトの平行度を検出する受光手段と、受光手段は第１の反射手段の反射光及び第２の反射手段の反射光の一方の反射手段の反射光を受光手段に受光させる場合と、双方の反射光を受光手段に受光させる場合とを切替可能な切替手段を備える。
【００１６】
また上記構成の光ピックアップ調整装置において、前記切替手段による切替によって、前記受光手段によって第１の反射手段及び第２の反射手段のいずれか一方の反射手段で受光した反射光と、他方の反射手段で受光した反射光とに基づいて、ターンテーブルとガイドシャフトとの位置関係を調整する調整手段を備えることが望ましい。
【００１７】
この構成によれば、受光結果に基づいてターンテーブルとガイドシャフトとの位置関係を調整される。従って、ターンテーブルとガイドシャフトの平行度を高精度に調整することができる。
【００１８】
また上記構成の光ピックアップ調整装置において、前記切替手段による切替によって、前記受光手段によって第１の反射手段及び第２の反射手段のいずれか一方の反射手段で受光した反射光と、双方の反射手段で受光した反射光とに基づいて、ターンテーブルとガイドシャフトとの位置関係を調整する調整手段を備えることが望ましい。
【００１９】
この構成によれば、受光結果に基づいてターンテーブルとガイドシャフトとの位置関係を調整される。従って、ターンテーブルとガイドシャフトの平行度を高精度に調整することができる。
【００２０】
また上記構成の光ピックアップ調整装置において、前記切替手段は第１の反射手段又は第２の反射手段への入射光を遮光可能な遮光手段を備えることが望ましい。
【００２１】
この構成によれば、切替手段は第１の反射手段又は第２の反射手段への入射光を遮光可能な遮光手段を備える。第１の覇者手段ンへの入射光が遮光されると受光手段は第２の反射手段の反射光のみを受光する。また、第２の反射手段への入射光が遮光されると受光手段は第１の反射手段の反射光のみを受光する。これによって、いずれか一方の反射手段の反射光のみを受光手段に受光させる場合と、両方の反射手段の反射光を受光手段に受光させる場合とが切替可能になる。従って受光手段は各反射手段の反射光のずれを高精度に検出できるのでターンテーブルとガイドシャフトの平行度を高精度に調整することができる。
【００２２】
また上記構成の光ピックアップ調整装置において、前記切替手段は、第１の反射手段及び第２の反射手段のいずれか一方の反射手段への入射光及びその反射手段の反射光を偏光する波長板と、前記波長板と前記受光手段の間に着脱可能に配されて第１の反射手段の反射光及び第２の反射手段の反射光のいずれか一方の反射光を透過させる偏光軸を有する偏光手段と、を備えることが望ましい。
【００２３】
この構成によれば、切替手段は第１の反射手段及び第２の反射手段のいずれか一方の反射手段への入射光とその反射手段の反射光を偏光する波長板と偏光手段を備える。波長板によって第１の反射手段の反射光と第２の反射手段の反射光は位相差が生じる。偏光手段は第１の反射手段の反射光及び第２の反射手段の反射光のいずれか一方の反射光を透過させる偏光軸を有する。従って偏光手段が波長板と受光手段の間に配されると受光手段はいずれか一方の反射光のみを受光する。これによって、いずれか一方の反射手段の反射光のみを受光手段に受光させる場合と、両方の反射手段の反射光を受光手段に受光させる場合とが切替可能になる。従って受光手段は各反射手段の反射光のずれを高精度に検出できるのでターンテーブルとガイドシャフトの平行度を高精度に調整することができる。
【００２４】
また上記構成の光ピックアップ調整装置において、前記切替手段は、第１の反射手段及び第２の反射手段のいずれか一方の反射手段への入射光を遮光可能な遮光手段と、他方の反射板への入射光及びその反射手段の反射光を偏光する波長板と、前記波長板と前記受光手段の間に着脱可能に配されて前記波長板によって偏光された反射光を透過しない偏光軸を有する偏光手段と、を備えることが望ましい。
【００２５】
この構成によれば、一方の反射手段の反射光のみを受光手段に受光させる場合と他方の反射手段の反射光のみを受光手段に受光させる場合とが切替可能になる。従って受光手段は２つの反射光のずれを高精度に検出できるのでターンテーブルとガイドシャフトの平行度を高精度に調整することができる。
【００２６】
また上記構成の光ピックアップ調整装置において、前記切替手段は、第１の反射手段及び第２の反射手段のいずれか一方の反射手段への入射光及びその反射手段の反射光を偏光する波長板と、前記波長板と前記受光手段の間に配されて第１の反射部材の反射光と第２の反射部材の反射光のいずれの反射光を透過させるかを選択可能な偏光手段と、を備えることが望ましい。
【００２７】
この構成によれば、第１の反射手段及び第２の反射手段のいずれか一方の反射手段への入射光とその反射手段の反射光を偏光する波長板と偏光手段を備える。波長板によって第１の反射手段の反射光と第２の反射手段の反射光は位相差が生じる。偏光手段は第１の反射手段の反射光を透過させる場合と第２の反射手段の反射光を透過させる場合とが選択可能なので、第１の反射手段の反射光のみを受光手段に受光させる場合と第２の反射手段の反射光のみを受光手段に受光させる場合とが切替可能になる。
【００２８】
また上記構成の光ピックアップ調整装置において、前記偏光手段は所定の中心軸を中心に回動可能に配されることにより第１の反射手段の反射光を透過させる場合と第２の反射手段の反射光を透過させる場合とが選択可能であることが望ましい。
【００２９】
この構成によれば、単一の偏光手段を回転させることで第１の反射手段の反射光を透過させる場合と第２の反射手段の反射光を透過させる場合が切り替わる。従って部品点数が削減でき、光ピックアップ調整装置が小型化し、コストが削減できる。
【００３０】
また上記構成の光ピックアップ調整装置において、前記偏光手段は第１の反射手段の反射光のみを透過する第１の偏光板と、第２の反射手段の反射光のみを透過させる第２の偏光板と、を備え、第１の偏光板及び第２の偏光板のいずれか一方が選択的に配されることにより第１の反射手段の反射光を透過させる場合と第２の反射手段の反射光を透過させる場合とが選択可能であることが望ましい。
【００３１】
この構成によれば、第１の偏光板及び第２の偏光板のいずれか一方を選択的に配することで第１の反射手段の反射光を透過させる場合と第２の反射手段の反射光を透過させる場合が切り替わる。従って第１の反射手段の反射光を透過させる場合と第２の反射手段の反射光を透過させる場合の切り替えをスムーズに行うことができる。
【００３２】
また上記構成の光ピックアップ調整装置において、前記波長板は１／４波長板であることが望ましい。
【００３３】
この構成によれば、第１の反射手段の反射光と第２の反射手段の反射光の位相差を１／２（１／４×２）波長の位相差になる。従って第１の反射手段の反射光と第２の反射手段の反射光のうち、一方の反射光を透過させつつ他方の反射光を完全に遮光することができる。
【００３４】
また上記構成の光ピックアップ調整装置において、前記受光手段が受光する反射光の受光位置を表示するモニタを備えることが望ましい。
【００３５】
上記目的を達成するために本発明の光ピックアップ調整方法は、ターンテーブルに配される第１の反射手段及び光ピックアップを摺動可能に支持するガイドシャフトに配される第２の反射手段に向かって光を出射するステップと、第１の反射手段及び第２の反射手段のうち一方の反射手段の反射光を受光手段に受光させて受光位置を検出するステップと、第１の反射手段及び第２の反射手段のうち他方の反射手段の反射光を受光手段に受光させて受光位置を検出するステップと、受光結果に基づいて前記ターンテーブルと前記ガイドシャフトの位置関係を検出するステップと、位置関係の検出結果に基づいて前記ターンテーブルと前記ガイドシャフトの位置関係を調整するステップと、を有することを特徴とする。
【００３６】
上記目的を達成するために本発明の光ピックアップ調整方法は、ターンテーブルに配される第１の反射手段及び光ピックアップを摺動可能に支持するガイドシャフトに配される第２の反射手段に向かって光を出射するステップと、第１の反射手段及び第２の反射手段のうち一方の反射手段の反射光を受光手段に受光させて受光位置を検出するステップと、第１の反射手段及び第２の反射手段の反射光を受光手段に受光させて受光位置を検出するステップと、受光結果に基づいて前記ターンテーブルと前記ガイドシャフトの位置関係を検出するステップと、位置関係の検出結果に基づいて前記ターンテーブルと前記ガイドシャフトの位置関係を調整するステップと、を有することを特徴とする。
【発明の効果】
【００３７】
本発明によれば、反射光を受光してターンテーブルとガイドシャフトの位置関係を検出する受光手段と、第１の反射手段及び第２の反射手段のうち、一方の反射手段の反射光を受光手段に受光させる場合と他方の反射手段の反射光を受光させる場合とを切替可能、或いは、第１の反射手段及び第２の反射手段のうち、一方の反射手段の反射光を受光手段に受光させる場合と双方の反射手段の反射光を受光手段に受光させる場合とを切替可能な切替手段を備える。
【図面の簡単な説明】
【００３８】
【図１】第１実施形態に係る光ピックアップ調整装置の機能構成を示すブロック図
【図２】第１実施形態に係る光ピックアップ調整装置の構成を示す第１の模式図
【図３】第１実施形態に係る光ピックアップ調整装置の構成を示す第２の模式図
【図４】ガイドシャフトに取り付けられる光ピックアップ及び反射手段の一例を示す図
【図５】モニタに表示される基準光の位置及び参照光の位置の一例を示す図
【図６】第２実施形態に係る光ピックアップ調整装置の構成を示す第１の模式図
【図７】第２実施形態に係る光ピックアップ調整装置の構成を示す第２の模式図
【図８】第２実施形態に係る光ピックアップ調整装置の構成を示す別例の模式図
【図９】第４実施形態に係る光ピックアップ調整装置の構成を示す第１の模式図
【図１０】第４実施形態に係る光ピックアップ調整装置の構成を示す第２の模式図
【発明を実施するための形態】
【００３９】
＜第１実施形態＞
以下に本発明の光ピックアップ調整装置について図面を参照して説明する。但し、以下に示す各実施形態は、本発明の技術的思想を具体化するために本発明の光ピックアップ調整装置の一例を示すものである。従って本発明を各光ピックアップ調整装置に特定することを意図するものではない。特許請求の範囲に含まれるその他の実施形態の光ピックアップ調整装置にも等しく適応し得るものである。
【００４０】
図１は第１実施形態の光ピックアップ調整装置の機能構成を示すブロック図である。図２は第１実施形態の光ピックアップ調整装置の構成を示す第１の模式図である。図３は第１実施形態の光ピックアップ調整装置の構成を示す第２の模式図である。図４はガイドシャフトに取り付けられる光ピックアップ及び反射手段の一例を示す図である。図５はモニタに表示される基準光の位置及び参照光の位置の一例を示す図である。
【００４１】
光ディスク装置は一般的に、ＢＤやＤＶＤ等の光ディスクが載置されるターンテーブル（図２及び図３に示すターンテーブル３１）、光ピックアップ（図２〜４に示す光ピックアップ３２）、光ピックアップ３２を光ディスクの径方向に摺動可能に支持する２本のガイドシャフト（図２〜４に示すガイドシャフト３３）を備える。
【００４２】
上述したように光ディスクにレーザ光を照射するときは、ターンテーブル３１の載置面と２本のガイドシャフト３３を平行にする必要がある。光ピックアップ調整装置は光ディスク装置に取り付けられて、ターンテーブル３１の載置面と２本のガイドシャフトガイドシャフト３３の平行度（位置関係、傾き度合）を検出して両者が傾いているときにその平行度を調整する装置である。この平行度の調整は一般的に光ディスク装置の組立後、製品の出荷前に行われる。なお、光ディスク装置は光ピックアップ調整装置が取り外された状態で出荷される。
【００４３】
図１〜図３に示すように第１実施形態の光ピックアップ調整装置１は制御部２、平行光を出射する光源３、偏光ビームスプリッタ４、ターンテーブル３１に取り付けられる第１の反射手段５、ガイドシャフト３３に取り付けられる第２の反射手段６、凸レンズ７、受光素子（ＣＣＤ等の受光手段）８、モニタ９、調整手段１０、遮光手段２０を備える。
【００４４】
制御部２は光ピックアップ調整装置１全体を総括的に制御する制御手段である。制御部２はＣＰＵ２１とＲＯＭ２２とＲＡＭ（メモリ）２３とを含んでいる。ＲＯＭ２２には制御部２が実行するプログラム、プログラムの実行に必要なパラメータやデータが記憶されている。ＣＰＵ２１はＲＯＭ２２に記憶されている各種プログラムを実行する。ＲＡＭ（メモリ）２３は各種処理の過程で得られるデータや各種処理の結果得られるデータを一時的に格納する。これらＣＰＵ２１、ＲＡＭ２２、ＲＯＭ２３等は、バスを介して接続されている。なお、ＣＰＵ２１、ＲＯＭ２２及びＲＡＭ２３はこれらの一部または全部を１チップに集積化しても構わない。
【００４５】
光源３から出射された平行光（図２及び図３に示す出射光Ｌ１）は偏光ビームスプリッタ４によって第１の反射手段５及び第２の反射手段６に向かって反射される。偏光ビームスプリッタ４によって反射された光の一部（図２及び図３に示す入射光Ｌ２）は第１の反射手段５に向かい、他の一部（図２及び図３に示す入射光Ｌ３）は第２の反射手段６に向かう。
【００４６】
入射光Ｌ２は第１の反射手段５によって反射され、反射された光（図２及び図３に示す反射光Ｌ４）は偏光ビームスプリッタ４を透過する。第２の反射手段５は例えば円盤状のディスク（以下、「第２の反射手段５」を「基準ディスク」ということもある。）であり、ターンテーブル３１の載置面に載置される。
【００４７】
一方、入射光Ｌ３は例えば第１の反射手段５に形成される開口（不図示）を介して第２の反射手段６に向かうが、本実施形態において偏光ビームスプリッタ４と第２の反射手段６の間には遮光手段２０が遮光モードと非遮光モードを切替可能に配される。言い換えれば遮光手段２０は遮光モードと非遮光モードを切替可能な切替手段である。
【００４８】
遮光手段２０としては例えばシャッタ、遮光（減光）フィルタ、反射ミラー（入射光Ｌ３を偏光ビームスプリッタ４以外の方向に反射するミラー）等を使用することができる。遮光モードと非遮光モードを切り替える手段としては例えばシャッターの開閉動作、遮光（減光）フィルタの着脱動作、反射ミラーの着脱動作に基づいて行うこととすればよい。
【００４９】
遮光手段２０は遮光モードと非遮光モードを切替可能に配されているので、遮光手段２０が遮光モードであるときは図２に示すように入射光Ｌ３は遮光手段２０によって遮られて第２の反射手段６に入射しない。一方、遮光手段２０が非遮光モードであるときは図３に示すように入射光Ｌ３は第２の反射手段６に入射する。第２の反射手段６によって反射された光（図３に示す反射光Ｌ５）は偏光ビームスプリッタ４を透過する。
【００５０】
第２の反射手段６は例えば略三角形状の基準ミラーである（以下、第２の反射手段６等のガイドシャフト３３に取り付けられる反射手段を「基準ミラー」ということもある）。第２の反射手段６は２本のガイドシャフト３３に跨るように配されて２本のガイドシャフト３３に固定される。第２の反射手段６の形状は略三角状以外の形状であってもよいが、一方のガイドシャフト３３に取り付けられる第２の反射手段６の一端が幅広であり、他方のガイドシャフト３３に取り付けられる第２の反射手段の他端が幅狭であることが望ましい。
【００５１】
本実施形態においてはガイドシャフト３３に単一の基準ミラー（第２の反射手段６）を配することとして説明するが、図４に示すように２つの基準ミラー（第２の反射手段５１、第３の反射手段５２）を配することとしてもよい。ガイドシャフト３３に基準ミラー５１、５２を配する場合には、光ピックアップ３２を挟んで点対称に配される。このようにガイドシャフト３３に基準ミラー５１、５２を配することによって２本のガイドシャフト３３の傾きを調整する際に各ガイドシャフト３３の傾きをどの程度調整するかが容易に決定できる。
【００５２】
なお、ガイドシャフト３３に基準ミラー５１、５２が配されるときには遮光手段２０は基準ミラー５１、５２に向かう入射光を遮ることとする。以降の実施形態において２つの反射ミラーが配される場合も同様である。なぜなら上述したように光ピックアップ調整装置１は基準ディスクからの反射光と基準ミラーからの反射光の受光位置のずれを検出してターンテーブル３１と２本のガイドシャフト３３の平行度を調整するものだからである。基準ミラーが複数配される場合であっても各基準ミラーには同一の処理（上述した各基準ミラーへの入射光の遮光や、後述する各基準ミラーへの入射光及び各基準ミラーからの反射光の偏光等）が施される。
【００５３】
本実施形態では遮光手段２０が遮光モードのときは入射光Ｌ２のみが第１の反射手段５によって反射されて反射光Ｌ４が偏光ビームスプリッタ４を透過する。一方、遮光手段２０が非遮光モードのときは入射光Ｌ２及び入射光Ｌ３が夫々第１の反射手段５及び第２の反射手段６によって反射されて反射光Ｌ４及び反射光Ｌ５が偏光ビームスプリッタ４を透過する。偏光ビームスプリッタ４を透過した反射光（以下本実施形態において、遮光手段２０が遮光モードのときに受光素子８が受光する光を「基準光」、遮光手段２０が非遮光モードのときに受光素子８が受光する光を「参照光」という。）は凸レンズ７によって集光されて受光素子８に入光する。
【００５４】
凸レンズ７は平行光として入射する光線を光軸上の一点に収束させるものである。従って、ターンテーブル３１と２本のガイドシャフト３３が平行であれば、基準光と参照光は互いに平行な光線であるため、受光素子８が受光する基準光の受光位置（座標）と参照光の受光位置（座標）が一致する（重複する）。これに対してターンテーブル３１と２本のガイドシャフト３３が平行でなければ、基準光と参照光は互いに平行な光線ではないため、受光素子８が受光する基準光の受光位置（座標）と参照光の受光位置（座標）が一致しない（ずれる）。
【００５５】
ここでターンテーブル３１と２本のガイドシャフト３３が平行であるか否かを判定する方法について詳説する。制御部２は受光素子８が受光した基準光の受光位置と参照光の受光位置をそれぞれメモリ（ＲＡＭ２３等の内部メモリであってもよいし、外部メモリであってもよい）に記憶する。
【００５６】
本実施形態において参照光には上述したように反射光Ｌ４と反射光Ｌ５が含まれる。従ってターンテーブルと２本のガイドシャフトの傾きが大きいときは受光素子８は参照光の受光位置として２つの座標を検出する。これに対して基準光には反射光Ｌ４しか含まれておらず基準光の受光位置として検出されるのは１つの座標である。従って基準光の受光位置と参照光の受光位置が一致しないので制御部２はターンテーブル３１と２本のガイドシャフト３３が平行でないと判定する。なお、制御部２は受光素子８が参照光の受光位置として２つの座標を検出したときにターンテーブル３１と２本のガイドシャフト３３が平行でないと判定することとしてもよい。
【００５７】
一方、図５に示すように反射光Ｌ４の受光位置と反射光Ｌ５の受光位置が一部重複しているが一致していないときに受光素子８は参照光の受光位置として１つの座標を検出する。このとき参照光の受光位置の中心座標は、反射光Ｌ４の受光位置と反射光Ｌ５の受光位置の重複地点であり、反射光Ｌ４の受光位置の中心座標及び反射光Ｌ５の受光位置の中心座標と異なる。従って基準光の受光位置と参照光の受光位置が一致しないので制御部２はターンテーブル３１と２本のガイドシャフト３３が平行でないと判定する。
【００５８】
制御部２はターンテーブル３１と２本のガイドシャフト３３が平行であると判定したときは処理を終了する。一方、ターンテーブル３１と２本のガイドシャフト３３が平行ではないと判定したときは調整手段１０を介してターンテーブル３１と２本のガイドシャフト３３の平行度を調整する処理を行う。以下、平行度を調整する処理について詳説する。
【００５９】
調整手段１０は制御部２に制御されて参照光の受光位置が基準光の受光位置に一致するように（参照光が基準光の平行光となるように）２本のガイドシャフト３３の平行度を調整する。すなわち本実施形態ではターンテーブル３１を固定したまま、２本のガイドシャフト３３の傾きを調整することでターンテーブル３１と２本のガイドシャフト３３の平行度を調整する。但し調整方法はこれに限られるものではなく、ターンテーブル３１の傾きを調整することとしてもよいし、ターンテーブル３１及び２本のガイドシャフト３３の傾きを調整することとしてもよい。
【００６０】
調整手段１０としては従来から知られている自動調整手段を採用することとすればよい。例えば、調整手段は一方のガイドシャフト３３（例えばメインシャフト）の一端と他方のガイドシャフト（例えばサブシャフト）３３の両端を移動可能に支持する３つの可動支持部、メインシャフト３３の他端を移動不能に支持する固定支持部、３つの可動支持部を駆動する駆動部を備える。
【００６１】
制御部２は参照光の受光位置と基準光の受光位置のずれに基づいて３つの可動支持部の移動量を算出して駆動部に各可動支持部を移動させる。従って反射光Ｌ４の受光位置と反射光Ｌ５の受光位置が一部重複した状態で受光素子８が単一の反射光として参照光の受光位置を検出したとしても、その参照光の受光位置と基準光の受光位置が一致しない。つまり制御部２はターンテーブル３１及び２本のガイドシャフト３３の平行度を高精度に判定して調整を行うことができる。
【００６２】
なお、制御部２は図５に示すようにメモリに記憶される基準光の受光位置と参照光の受光位置をモニタ９に表示することとしてもよい。これによってユーザはターンテーブル３１と２本のガイドシャフト３３が平行であるか否か、ターンテーブル３１と２本のガイドシャフト３３が平行でないときに調整手段１０による調整が完了したか否かを視認することができる。
【００６３】
本実施形態によれば、光ピックアップ調整装置１は、受光素子８、受光素子８に基準光として１つの反射光（反射光Ｌ４）を受光させる場合と、参照光として２つの反射光（反射光Ｌ４、Ｌ５）を受光させる場合を切替可能な切替手段、ターンテーブル３１と２本のガイドシャフト３３の平行度を調整する調整手段を備える。
【００６４】
制御部２は基準光の受光位置と参照光の受光位置に基づいてターンテーブル３１と２本のガイドシャフト３３の平行度を検出する。受光素子８は一方の反射光（反射光Ｌ４）のみを受光する期間が設けられることにより基準光の受光位置と参照光の受光位置のずれをより高精度に検出することができる。つまり、ターンテーブル３１と２本のガイドシャフト３３の平行度を高精度に検出することができるので、ターンテーブル３１と２本のガイドシャフト３３の平行度を高精度に調整することができる。
【００６５】
また、切替手段は入射光Ｌ３を遮光する遮光モードと、入射光Ｌ３を遮光しない非遮光モードを切替可能な遮光手段２０である。入射光Ｌ３を遮光すれば受光素子８は基準光として反射光Ｌ４のみを受光する。従って上述したように、ターンテーブル３１と２本のガイドシャフト３３の平行度を高精度に検出することができるので、ターンテーブル３１と２本のガイドシャフト３３の平行度を高精度に調整することができる。
【００６６】
また、基準光の受光位置と参照光の受光位置をモニタ９に表示することとすればユーザは光ピックアップ調整装置の処理過程、すなわち、ターンテーブル３１と２本のガイドシャフト３３の平行度の検出処理、ターンテーブル３１と２本のガイドシャフト３３の平行度の調整処理が適切に行われているかを視認することができる。
【００６７】
なお、本実施形態において遮光手段２０は入射光Ｌ３を遮光することとしたがこれに限られるものではなく、入射光Ｌ２を遮光するものとしてもよい。つまり、基準光には反射光Ｌ５のみが含まれ、参照光には反射光Ｌ４と反射光Ｌ５が含まれることとしてもよい。本変形例によっても、基準光の受光位置として検出されるのは１つの座標であり、基準光と参照光の受光位置を比較することによってターンテーブル３１と２本のガイドシャフト３３の平行度を検出することができる。。
【００６８】
＜第２実施形態＞
図６は第２実施形態の光ピックアップ調整装置の構成を示す第１の模式図である。図７は第２実施形態の光ピックアップ調整装置の構成を示す第２の模式図である。なお、図２及び図３の光ピックアップ調整装置と同一部分には同一の符号を付して説明を省略する。第２実施形態の光ピックアップ調整装置１は、第１実施形態の光ピックアップ調整装置１の遮光手段２０の代わりに、波長板２１及び偏光手段（偏光板）２２を備える。
【００６９】
波長板２１は入射光Ｌ３及び反射光Ｌ５の光路上に配される。例えば第２の反射手段６の反射面上に配される。波長板２１は入射光Ｌ３及び反射光Ｌ５に光学的位相差を付与する位相板である。
【００７０】
偏光板２２は偏光ビームスプリッタ４と凸レンズ７の間に着脱可能に配される。偏光板２２は特定の方向に偏光した光に限って透過させる複屈折素子である。本実施形態において偏光板２２は反射光Ｌ４を透過させ、反射光Ｌ５を透過させない。
【００７１】
従って偏光板２２が偏光ビームスプリッタ４と凸レンズ７の間に配されているときは図６に示すように反射光Ｌ５は偏光板２２によって遮られて凸レンズ７及び受光素子８に入射しない。一方、偏光板２２が偏光ビームスプリッタ４と凸レンズ７の間に配されていないときは図７に示すように反射光Ｌ５は偏光板２２によって遮られず凸レンズ７及び受光素子８に入射する。
【００７２】
なお、波長板２１としては特に限定されるものではないが１／４波長板であることが望ましい。１／４波長板以外の波長板（例えば１／３波長板）等とすると偏光板２２に反射光Ｌ５が入光した際に反射光Ｌ５の一部が偏光板２２を透過するからである。これに対して１／４波長板とすることによって、反射光Ｌ４と反射光Ｌ５の位相差が１／２（１／４×２）波長の位相差になる。これによって偏光板２２に反射光Ｌ５が入光した際に反射光Ｌ５を完全に遮光することができる。
【００７３】
以下、本実施形態において偏光板２２が偏光ビームスプリッタ４と凸レンズ７の間に配されているときに受光素子８が受光する光を「基準光」、偏光板２２が偏光ビームスプリッタ４と凸レンズ７の間に配されていないときに受光素子８が受光する光を「参照光」という。
【００７４】
本実施形態において切替手段は波長板２１、反射光Ｌ４のみを凸レンズ７及び受光素子８に入光させる位置と反射光Ｌ４及び反射光Ｌ５を凸レンズ７及び受光素子８に入光させる位置とで着脱可能に保持される偏光板２２である。偏光板２２を反射光Ｌ４のみを凸レンズ７及び受光素子８に入光させる位置に配すれば受光素子８は基準光として反射光Ｌ４のみを受光し、反射光Ｌ４及び反射光Ｌ５を凸レンズ７及び受光素子８に入光させる位置に配すれば受光素子８は参照光として反射光Ｌ４及び反射光Ｌ５を受光する。
【００７５】
つまり、本実施形態の基準光は上記第１実施形態の基準光と同様に反射光Ｌ４のみを含み、また、本実施形態の参照光は上記第１実施形態の参照光に反射光Ｌ４及び反射光Ｌ５を含む。従って本実施形態によれば第１実施形態と同様の効果を奏する。
【００７６】
なお、第２実施形態では偏光板２２を反射光Ｌ４のみを透過させる複屈折素子であることとしたがこれに限られるものではなく、図８に示すように反射光Ｌ５のみを透過させる複屈折素子であることとしてもよい。すなわち受光素子８が基準光として反射光Ｌ５のみを受光し、参照光として反射光Ｌ４及び反射光Ｌ５を受光することとしてもよい。当該構成によっても、受光素子８は一方の反射光（反射光Ｌ５）のみを受光する期間が設けられることにより基準光の受光位置と参照光の受光位置のずれをより高精度に検出することができる。従って、ターンテーブル３１と２本のガイドシャフト３３の平行度を高精度に検出することができるので、ターンテーブル３１と２本のガイドシャフト３３の平行度を高精度に調整することができる。
【００７７】
なお、本実施形態において波長板２１は入射光Ｌ３及び反射光Ｌ５の光路上に配することとしたがこれに限られるものではなく、入射光Ｌ２及び反射光Ｌ４の光路上に配することとしてもよい。つまり、基準光には反射光Ｌ５のみが含まれ、参照光には反射光Ｌ４と反射光Ｌ５が含まれることとしてもよい。本変形例によっても、基準光の受光位置として検出されるのは１つの座標であり、基準光と参照光の受光位置を比較することによってターンテーブル３１と２本のガイドシャフト３３の平行度を検出することができる。以下の第３実施形態においても同様である。
【００７８】
＜第３実施形態＞
第３実施形態の光ピックアップ調整装置の基本構成は第２実施形態の光ピックアップ調整装置の構成と同一であり、異なる点は偏光板２２が着脱可能ではなく所定の中心軸を中心に回動可能に配される点である。
【００７９】
より詳説すれば波長板２１が１／４波長板であるときは、反射光Ｌ４と反射光Ｌ５の位相差は１／２波長である。偏光板２２は所定の中心軸を第１の向きと第２の第２の向きの間で回動可能に配される。偏光板２２が第１の向きであるときは反射光Ｌ４のみを透過させ（すなわち上述した図６と同様の図となる）、偏光板２２が第２の向きであるときは反射光Ｌ５のみを透過させる（すなわち上述した図８と同様の図となる）。
【００８０】
従って偏光板２２が第１の向きであるときは反射光Ｌ５は偏光板２２によって遮られて凸レンズ７及び受光素子８に入射しない。一方、偏光板２２が第２の向きであるときは反射光Ｌ４は偏光板２２によって遮られて凸レンズ７及び受光素子８に入射しない。
【００８１】
以下、本実施形態において偏光板２２が第１の向きであるときに受光素子８が受光する光を「基準光」、偏光板２２が第２の向きであるときに受光素子８が受光する光を「参照光」という。本実施形態において基準光は反射光Ｌ４のみを含み、参照光は反射光Ｌ５のみを含む。
【００８２】
従って第１実施形態及び第２の実施形態のように参照光が反射光Ｌ４及び反射光Ｌ５を含み、各反射光の受光位置が一部重複した状態で単一の反射光として検出されるという問題が生じることがない。制御部２は基準光の受光位置と参照光の受光位置が一致するか否かを判定するだけで容易にターンテーブル３１と２本のガイドシャフト３３が平行であるか否かを判定することができる。
【００８３】
本実施形態において切替手段は波長板２１、反射光Ｌ４のみを凸レンズ７及び受光素子８に入光させる位置と反射光Ｌ５のみを凸レンズ７及び受光素子８に入光させる位置の間で回動可能に保持される偏光板２２である。偏光板２２を反射光Ｌ４のみを凸レンズ７及び受光素子８に入光させる位置に配すれば受光素子８は基準光として反射光Ｌ４のみを受光し、反射光Ｌ５のみを凸レンズ７及び受光素子８に入光させる位置に配すれば受光素子８は参照光として反射光Ｌ５のみを受光する。
【００８４】
従って、ターンテーブル３１と２本のガイドシャフト３３の平行度を高精度に検出することができるので、ターンテーブル３１と２本のガイドシャフト３３の平行度を高精度に調整することができる。また、単一の偏光板２２を回転させることで第１の反射手段５の反射光を透過させる場合と第２の反射手段６の反射光を透過させる場合が切り替わるので、部品点数が削減でき、光ピックアップ調整装置１が小型化し、コストが削減できる。
【００８５】
なお、本実施形態においては単一の偏光板を回動させることで反射光Ｌ４を透過させる場合と反射光Ｌ５を透過させる場合を切り替えているが、反射光Ｌ４のみを透過させる偏光板と反射光Ｌ５のみを透過させる偏光板を備え、両偏光板を移動可能に保持することとしてもよい。これにより第１の反射手段５の反射光を透過させる場合と第２の反射手段６の反射光を透過させる場合の切り替えをスムーズに行うことができる。
【００８６】
＜第４実施形態＞
図９は第４実施形態に係る光ピックアップ調整装置の構成を示す第１の模式図である。図１０は第４実施形態に係る光ピックアップ調整装置の構成を示す第２の模式図である。なお、図２、図３、図６、図８の光ピックアップ調整装置と同一部分には同一の符号を付して説明を省略する。
【００８７】
本実施形態において光ピックアップ調整装置１は切替手段として遮光手段２０、波長板２１、偏光板２２を備える。制御部２は遮光手段２０が遮光モードであるときに偏光板２２が光路外に配され、遮光手段２０が非遮光モードであるときに偏光板２２が光路上に配されるように制御を行う。
【００８８】
本実施形態において偏光板２２は反射光Ｌ５のみを透過させる複屈折素子であり、反射光Ｌ４は透過させない。従って、遮光手段２０が遮光モードであり、偏光板２２が光路外に配されると、図９に示すように反射光Ｌ５が遮光手段２０に遮られて反射光Ｌ４のみが凸レンズ７及び受光素子８に入光する。一方、遮光手段２０が非遮光モードであり、偏光板２２が光路上に配されると、図１０に示すように反射光Ｌ４が偏光板２２に遮られて反射光Ｌ５のみが凸レンズ７及び受光素子８に入光する。
【００８９】
以下、本実施形態において遮光手段２０が遮光モードであり、偏光板２２が光路外に配されるときに受光素子８が受光する光を「基準光」、遮光手段２０が非遮光モードであり、偏光板２２が光路上に配されるときに受光素子８が受光する光を「参照光」という。
【００９０】
本実施形態において切替手段は遮光モードと非遮光モードを切替可能な遮光手段２０、波長板２１、光路上と光路外の間を移動可能（着脱可能）に保持される偏光板２２である。遮光手段２０が遮光モードであり、偏光板２２が光路外に配されると受光素子８は基準光として反射光Ｌ４のみを受光し、遮光手段２０が非遮光モードであり、偏光板２２が光路上に配されると受光素子８は参照光として反射光Ｌ５のみを受光する。
【００９１】
つまり、本実施形態の基準光は上記第３実施形態の基準光と同様に反射光Ｌ４のみを含み、また、本実施形態の参照光は上記第３実施形態の参照光に反射光Ｌ５のみを含む。従って本実施形態によれば第３実施形態と同様の効果を奏する。
【００９２】
なお、本実施形態においては遮光手段２０が遮光モードであるときに反射光Ｌ５のみが遮られ、遮光手段２０が非遮光モードであるときに反射光Ｌ４のみが偏光板２２に遮られることとしたがこれに限られない。すなわち、遮光手段２０が遮光モードであるときに反射光Ｌ４のみが遮られ、遮光手段２０が非遮光モードであるときに反射光Ｌ５のみが偏光板２２に遮られることとしてもよい。
【符号の説明】
【００９３】
１          光ピックアップ調整装置
２          制御部
３          光源
４          偏光ビームスプリッタ
５          第１の反射手段（基準ディスク）
６          第２の反射手段（基準ミラー）
７          凸レンズ
８          受光素子（ＣＣＤ）
９          モニタ
１０        調整手段
２０        遮光手段
２１        波長板
２２        偏光板
３１        ターンテーブル
３２        光ピックアップ
３３        ガイドシャフト
【図１】
2014056628.tif 000003
【図２】
2014056628.tif 000004
【図３】
2014056628.tif 000005
【図４】
2014056628.tif 000006
【図５】
2014056628.tif 000007
【図６】
2014056628.tif 000008
【図７】
2014056628.tif 000009
【図８】
2014056628.tif 000010
【図９】
2014056628.tif 000011
【図１０】
2014056628.tif 000012